(57)【特許請求の範囲】
【請求項１】
床に固定した上向き開口の固定レールに間仕切壁パネルの下端部を固定してなる間仕切壁構造において、間仕切壁パネルの下端部に、基部を固定レールの上向き開口幅と同等に形成すると共に、胴部を上向き開口幅より狭小に形成し、かつ配線スペースを可能な限り大きく確保するため、胴部を基部の一側端縁部に偏位させて形成してなる脚体を突設し、該脚体の基部を固定レールの上向き開口底部に嵌合固定してなることを特徴とする間仕切壁構造。
【発明の詳細な説明】
【０００１】
【発明の属する技術分野】
この出願の発明は、間仕切壁構造に関するものである。さらに詳しくは、この出願の発明は、リフォーム等に際して、間仕切壁パネルを移設する場合に、床や天井の修復箇所を最少限度にして間仕切壁パネルへの電気配線を行うことができ、また、間仕切壁パネルを移設した後、電気配線を移設する場合に、電気配線の移設を簡便に行うことができる間仕切壁構造に関するものである。
【０００２】
【従来の技術】
近年、マンション等の建築物において、例えば、図２に例示したように、床スラブ（１）上に、所望の間隔を隔てて支持脚（２）、（２）、…を立設し、該支持脚（２）、（２）、…上に床パネル（３）、（３）、…を載置敷設して床（４）を形成することによって、床（４）を床スラブ（１）より浮かせて二重床方式の床部を形成し、該床（４）に固定した上向き開口の固定レール（５）の上向き開口部に間仕切壁パネル（６）の下端部を嵌合固定すると共に、天井スラブ（７）面に、所望の間隔を隔てて吊り具（８）、（８）、…を垂設し、該吊り具（８）、（８）、…にて天井パネル（９）、（９）、…を吊り下げ支持して天井（１０）を形成することによって、天井（１０）を天井スラブ（７）より浮かせて二重天井方式の天井部を形成し、該天井（１０）に固定した下向き開口の固定レール（１１）の下向き開口部に間仕切壁パネル（６）の上端部を嵌合固定することによって、間仕切壁を形成していた。
【０００３】
なお、図２において、（１２）は、床（４）に防振・制振効果を発揮させる場合に介在させる防振ゴムである。
【０００４】
【発明が解決しようとする課題】
しかしながら、上記従来の間仕切壁においては、床（４）下や天井（１０）裏の空間部を電気配線、給・排水配管、床下・天井裏収納等のスペースとして利用でき、また、間仕切壁パネル（６）の固定を床（４）と天井（１０）の間で行っているため、建築物全体の床（４）と天井（１０）を一挙に形成することができ、作業性が向上し、工期を短縮することができると共に、リフォーム等の際の間仕切壁パネル（６）の移設も容易に行えるという利点を有している反面、電線を間仕切壁パネル（６）に引き込んで電気配線を行う場合に、床（４）下や天井（１０）裏の空間部を配線スペースとして利用しているため、床（４）下や天井（１０）裏の空間部から電線を引き出して間仕切壁パネル（６）に引き込むための電線引き出し孔を床（４）や天井（１０）に穿設し、該電線引き出し孔より引き出した電線を間仕切壁パネル（６）に引き込んで電気配線を行っており、従って、リフォーム等によって間仕切壁パネル（６）を移設した場合に、電線引き出し孔が露出して残存し、美観を損うため、電線引き出し孔を隠ぺいして修復する必要があるという問題があった。また、間仕切壁パネル（６）を移設した後、電気配線を移設する場合に、床（４）や天井（１０）を剥がさなければならず、電気配線の移設が簡便に行えないという問題もあった。
【０００５】
この出願の発明は、以上の通りの事情に鑑みて為されたものであり、上記の問題点を解消し、リフォーム等に際して、間仕切壁パネルを移設する場合に、床や天井の修復箇所を最少限度にして間仕切壁パネルへの電気配線を行うことができ、また、間仕切壁パネルを移設した後、電気配線を移設する場合に、電気配線の移設を簡便に行うことができる間仕切壁構造を提供することを目的としている。
【０００６】
【課題を解決するための手段】
この出願の発明は、上記の課題を解決するためになされたものであって、第１の発明は、床に固定した上向き開口の固定レールに間仕切壁パネルの下端部を固定してなる間仕切壁構造において、間仕切壁パネルの下端部に、基部を固定レールの上向き開口幅と同等に形成すると共に、胴部を上向き開口幅より狭小に形成し、かつ配線スペースを可能な限り大きく確保するため、胴部を基部の一側端縁部に偏位させて形成してなる脚体を突設し、該脚体の基部を固定レールの上向き開口底部に嵌合固定してなることを特徴とする間仕切壁構造を提供する。
【０００７】
【発明の実施の形態】
この出願の発明は、上記の通りの特徴をもつものであるが、以下、その実施の形態について説明する。
【０００８】
図１は、この出願の発明の一実施例を例示した縦断面図である。
【０００９】
なお、図１において、図２に例示した従来例と同等の部分には、同一の符号を付して説明を省略する。
【００１０】
この出願の発明は、例えば、図１に例示したように、床（４）に、釘、ビス、接着剤等で固定した下向き開口の溝形レール体よりなる固定レール（５）に間仕切壁パネル（６）の下端部を固定してなる間仕切壁構造において、間仕切壁パネル（６）の下端部に、基部（１３１）の幅寸法を固定レール（５）の上向き開口幅と同等（同一または略同一）に形成すると共に、胴部（１３２）の幅寸法を上向き開口幅より狭小に形成し、かつ、後述するように胴部（１３２）を基部（１３１）の一側端縁部に偏位させて形成してなる脚体（１３）を突設し、該脚体（１３）の基部（１３１）を固定レール（５）の上向き開口底部に嵌合固定してなることを特徴とする間仕切壁構造に関するものである。
【００１１】
なお、この出願の発明において、間仕切壁パネル（６）の下端部に脚体（１３）を突設する場合には、例えば、図１に例示したように、上枠（６１）、下枠（６２）および両側枠（６３）よりなるパネル枠の表裏面部に、釘、ビス、接着剤等にて、石膏ボード等の表面材（６４）を張設固着して形成した間仕切壁パネル（６）の下枠（６２）に、金属、合成樹脂等よりなる脚体（１３）を、釘、ビス等の止具にて固着することによって、脚体（１３）を突設すれば良い。
【００１２】
また、脚体（１３）の胴部（１３２）を固定レール（５）の上向き開口幅より狭小に形成する場合には、例えば、図１に例示したように、固定レール（５）の上向き開口内に電気配線（１４）を収納する配線スペース（１５）を可能な限り大きく確保するため、脚体（１３）の胴部（１３２）を基部（１３１）の一側端縁部に偏位させて形成すると共に、脚体（１３）の支持強度が損われない限り胴部（１３２）の幅寸法を可能な限り狭小に形成するのが好ましい。通常、脚体（１３）の胴部（１３２）を固定レール（５）の上向き開口幅の半分程度に形成するのが好ましい。
【００１３】
また、間仕切壁パネル（６）の上端部を固定する場合には、例えば、図１に例示したように、従来（図２）と同様にして、天井（１０）に、釘、ビス、接着剤等で固定した溝形レール体よりなる固定レール（１１）の下向き開口部に間仕切壁パネル（６）の上端部を嵌合固定したり、その他任意の方法で固定したりすれば良い。
【００１４】
以上の通り、この出願の発明においては、間仕切壁パネル（６）の下端部に、基部（１３１）を固定レール（１１）の上向き開口幅と同等に形成すると共に、胴部（１３２）を上向き開口幅より狭小に形成し、かつ、配線スペース（１５）を可能な限り大きく確保するため、胴部（１３２）を基部（１３１）の一側端縁部に偏位させて形成してなる脚体（１３）を突設し、該脚体（１３）の基部（１３１）を固定レール（５）の上向き開口底部に嵌合固定してなるので、固定レール（５）の内部から上方の長手方向全長にわたって配線スペース（１５）を形成することができ、該配線スペース（１５）を利用して電気配線（１４）を行うことができると共に該電気配線（１４）された電線を間仕切壁パネル（６）に引き込んで電気配線を行うことができ、従って、床（４）や天井（１０）に最初の電線を引き出すための電線引き出し孔を穿設するだけで良く、リフォーム等に際して、間仕切壁パネル（６）を移設する場合に、床（４）や天井（１０）の修復箇所を最少限度にして（移設位置によっては全く修復することなく）間仕切壁パネル（６）への電気配線（１４）を行うことができ、また、間仕切壁パネル（６）を移設した後、電気配線（１４）を移設する場合に、間仕切壁パネル（６）と共に電気配線（１４）も自動的に移設することができ、従って、床（４）や天井（１０）を剥がすことなく電気配線（１４）の移設を簡便に行うことができる。
【００１５】
なお、図１に例示した実施例においては、電気配線（１４）を固定レール（５）上方のスペースにて行った実施例を例示したが、固定レール（５）内部の配線スペース（１５）にて行っても良いことはもちろんである。
【００１６】
また、この出願の発明においては、脚体（１３）の基部（１３１）を固定レール（５）の上向き開口幅と同等に形成しているので、図１に例示したように、脚体（１３）の基部（１３１）を固定レール（５）の上向き開口底部に均密、正確に嵌合固定することができる。
【００１７】
また、図１において、（１６）は、合板等よりなる調整板であり、該調整板（１６）を間仕切壁パネル（６）の下枠（６２）および固定レール（５）に当接して、釘、ビス等の止具（１７）にて固着することによって、間仕切壁パネル（６）下端部と床（４）との隙間を調整・隠ぺいすると共に電気配線（１４）を隠ぺいすると、外観が向上するので、好ましい。
【００１８】
もちろん、この出願の発明は、以上の実施形態によって限定されるものではなく、固定レール、間仕切壁パネルおよび脚体の形状、構造、材質等、詳細については、様々な態様が可能であることはいうまでもない。
【００１９】
【発明の効果】
以上詳しく説明した通り、この出願の発明によって、リフォーム等に際して、間仕切壁パネルを移設する場合に、床や天井の修復箇所を最少限度にして間仕切壁パネルへの電気配線を行うことができ、また、間仕切壁パネルを移設した後、電気配線を移設する場合に、電気配線の移設を簡便に行うことができる。
【図面の簡単な説明】
【図１】  この出願の発明の一実施例を例示した縦断面図である。
【図２】  従来例を例示した縦断面図である。
【符号の説明】
１  床スラブ
２  支持脚
３  床パネル
４  床
５  固定レール
６  間仕切壁パネル
６１  上枠
６２  下枠
６３  側枠
６４  表面材
７  天井スラブ
８  吊り具
９  天井パネル
１０  天井
１１  固定レール
１２  防振ゴム
１３  脚体
１３１  基部
１３２  胴部
１４  電気配線
１５  配線スペース
１６  調整板
１７  止具
【図１】
0003731504.tif 000002
【図２】
0003731504.tif 000003